(57)【特許請求の範囲】
【請求項１】
Ｘ線管と１次ビーム絞り（２）とを備えたＸ線検査装置であって、
前記Ｘ線管はアノード皿を有し、
該アノード皿は、皿面に対して傾斜した傾斜面と、選択的にスイッチオン可能な焦点（１２〜１５）を備え、
前記焦点のすべては、相互に間隔をおいて前記傾斜面に、当該傾斜面に沿って延在する共通の直線（１７）上に配置されており、
前記１次ビーム絞り（２）は一方の焦点（１２〜１５）から他方の焦点への切り替えの際にシフト手段（２６，２８）によって移動される形式のＸ線検査装置において、
前記１次ビーム絞り（２）は、前記シフト手段（２６，２８）によって前記共通の直線（１７）に対して平行に移動される
ことを特徴とするＸ線検査装置。
【請求項２】
１次ビーム絞り（２）はホルダ（２６）に設けられており、該ホルダは前記仮想直線（１７）に対して平行に配置されている
請求項１記載のＸ線検査装置。
【請求項３】
１次ビーム絞り（２）の移動はモータ（２８）、有利にはステップモータにより行われる
請求項１または２記載のＸ線検査装置。
【請求項４】
１次ビーム絞り（２）は、切り替えが行われる焦点（１２〜１５）間の間隔に係数を乗じたものに相応する区間だけ移動され、
前記係数は、記録面の大きさが維持されるように選定されている
請求項１から３までのいずれか１項記載のＸ線検査装置。
【発明の詳細な説明】
【０００１】
【産業上の利用分野】
本発明は、Ｘ線管と１次ビーム絞りとを備えたＸ線検査装置であって、前記Ｘ線管はアノード皿を有し、該アノード皿は、皿面に対して傾斜した傾斜面と、選択的にスイッチオン可能な焦点を備え、前記焦点のすべては、相互に間隔をおいて前記傾斜面に、当該傾斜面に沿って延在する共通の直線上に配置されており、前記１次ビーム絞りは一方の焦点から他方の焦点への切り替えの際にシフト手段によって移動される形式のＸ線検査装置に関する。
【０００２】
【従来の技術】
このようなＸ線検査装置は、ドイツ連邦共和国特許公開公報第３１３６８０６号に記載されている。Ｘ線管のアノード皿はその固有軸を中心に回転可能であり、また皿平面に対して傾いた２つの異なる焦点路が設けられている。Ｘ線管はその他に２つのカソードを有し、このＸ線管では各カソードがそれぞれ１つの焦点路に向けられている。カソードによって各焦点路にそれぞれ１つの焦点が形成される。この場合、一方の焦点路の焦点は他方の焦点路の焦点よりも例えば大きい。これにより操作者は、例えば乳腺撮影検査の際に最適と思われるカソードないし焦点をスイッチオンすることができる。焦点は相互に所定の間隔を置いて設けられているから、一方の焦点から他方の焦点に切り替える際には１次ビーム絞りもずらさなければならない。これによりＸ線ビーム円錐部を対象台に向けることができる。すなわち、対象台にまたはその下に挿入されたＸ線フィルム版を正確にカバーすることができる。ここに述べたドイツ連邦共和国特許公開公報の対象では、ケーシングが２つの終端位置に横方向に移動されるだけである。その際、１次ビーム絞りは一方の終端位置にあるときは一方の焦点を基準にして、他方の終端位置にあるときは他方の焦点を基準にして調整される。このＸ線検査装置では、前記の焦点がアノード皿で相互に横方向に間隔を有するだけでなく、高さにおいても間隔を有していること、すなわち１次ビーム絞りないし対象台に対して異なる間隔でずらされて配置されていることを考慮していない。したがって１次ビーム絞りにもっとも近い焦点へ切り替える際に、Ｘ線ビームフィールドが記録領域の外へ不所望に伝播してしまう。
【０００３】
シーメンス社のパンフレット“Mammomat”には、乳腺撮影装置が記載されている。この装置は、ドイツ連邦共和国特許出願公開公報第３１３６８０６号に記載されたＸ線管を有する。この装置にはまた１次ビーム絞り装置が設けられており、この絞り装置は継ぎ手アームによって２つの終端位置へ旋回することができ、各終端位置にある１次ビーム絞りは瞬時の焦点に適合されている。１次ビーム絞りケーシングが一方の終端位置から他方の終端位置へ移動する際に円弧状の運動軌跡を描くことにより、横方向にも高さ方向にも移動される。このようにして、対象台にもっとも近い焦点に対する１次ビーム絞りも高さが適合される。
【０００４】
未公開の特許願第４３２３２２９８号明細書には、アノード皿を有するＸ線管が記載されており、このアノード皿では４つの焦点を多数の同種のカソードによって形成することができる。アノード皿の焦点路は皿平面に対して傾いた共通の平面に設けられている。これにより、全部で４つの形成可能は焦点は共通の仮想直線と交差する。この仮想直線は傾いた平面に沿って延在する。シーメンス社のパンフレット“Mammomat”に記載された乳腺撮影装置と関連して使用される１次ビーム絞りは、前記未公開の特許願に記載されたアノード皿と関連して使用することはできない。なぜならこの１次ビーム絞りは、それぞれ１つの焦点に適合された２つの終端位置にもたらすことができるだけだからである。１次ビーム絞りが一方の終端位置から他方の終端位置への移動の際に弧状の運動軌跡を描いたのでは、２つの終端位置間に絞りが別の形成可能なアノード皿の焦点に適合される位置がない。なぜなら、全焦点が１つの共通の直線と交差しているからである。
【０００５】
【発明が解決しようとする課題】
本発明の課題は、１次ビーム絞りを有する冒頭に述べた形式のＸ線検査装置を改善し、１次ビーム絞りを非常に簡単にかつ迅速に、切替可能な複数の焦点を有するアノード皿の瞬時の焦点に適合される位置にもたらすことのできるよう構成することである。
【０００６】
【課題を解決するための手段】
上記課題は本発明により冒頭に述べたＸ線検査装置において、１次ビーム絞りは、シフト手段（２６，２８）によって共通の直線に対して平行に移動されるように構成して解決される。
【０００７】
これにより焦点の数に関係なく、１次ビーム絞りを瞬時の焦点に対して最適の位置に常にもたらすことができる。これにより、記録フィールドの位置と大きさが常に同じであることが保証される。
【０００８】
本発明の有利な構成では、１次ビーム絞りがホルダに設けられ、このホルダは直線に対して平行に配置されている。これにより非常に簡単に１次ビーム絞りを直線に沿って移動することができる。
【０００９】
本発明の別の有利な構成では、１次ビーム絞りの移動がモータ、有利にはステップモータにより行われる。これにより一方の焦点から他方の焦点に切り替える際に１次ビーム絞りを簡単に瞬時の焦点に対して最適の位置にもたらすことができる。
【００１０】
さらに本発明の有利な実施例では、１次ビーム絞りが所定の区間だけずらされ、この区間は切り替えの行われる焦点間の間隔に係数を乗じたものに相応し、この係数は記録面の大きさが維持されるように選定される。
【００１１】
【実施例】
本発明を以下、図面に基づき詳細に説明する。
【００１２】
図１は、乳腺撮影装置の主要部分を簡略して示す。すなわち、Ｘ線管１、１次ビーム絞り２および対象台３が示されている。ここでＸ線管１と対象台３との間隔は縮尺通りではない。Ｘ線管１は未公開のドイツ特許願第４３２３９２８号に記載されたものと同じ形式である。ここでＸ線管１はアノード皿４を有し、アノード皿はその固有軸５を中心にして回転可能である。アノード皿４には２つの焦点路６と７が設けられている。これら焦点路はアノード皿平面に対して傾いた共通の平面に設けられている。カソード８〜１１によって４つの焦点１２から１５を相互に間隔を置いてアノード皿に形成することができる。カソード８〜１１は傾いた皿平面に配向されている。図１に示されているように、形成可能な焦点すべては共通の直線１７と交差している。Ｘ線管１には開口部１８と固定の粗絞り１９が設けられている。粗絞りは焦点１２〜１５により形成されたＸ線ビーム束をまとめ、これを対象台３に向けるために用いる。対象台には記録の前にＸ線フィルム版２０が取り付けられる。
【００１３】
Ｘ線１次ビーム絞り２は、Ｘ線管１からの、すなわち焦点１２〜１５の１つからのＸ線ビームを絞り、これを微調整するのに用いる。この１次ビーム絞りはここではプレート２１から成り、プレートは近似的に正方形の開口部２２を有するＸ線非透過材料から成る。プレート２１はコンソール２３を介してキャリッジ２４に固定されている。キャリッジ２４は直線ボールベアリング２５を介してホルダ２６と結合しており、ボールベアリング２５によりホルダ２６に沿って移動することができる。ホルダ２６は固定部２７を介して管１と固定的に結合している。このホルダは、直線１７と平行に延在するように角付けて取り付けられている。ホルダ２６にはステップモータ２８も取り付けられており、ステップモータはねじ２９を長手方向に移動するように制御する。ねじ２９の自由端部は長片部材３０を介してキャリッジ２４と結合されている。１次ビーム絞り２にはさらにランプ３１とミラー３２が設けられている。これらは有利にはコンソール２３ないしプレート２１に固定されている。ランプ３１とミラーの役目は後で詳細に説明する。
【００１４】
患者の乳房３７のＸ線検査を行う前に、これを対象台３に位置決めする。その後、乳房３７を公知のように圧縮プレート３３を用いて圧縮する。この実施例では、Ｘ線管１のカソード８が焦点１２を形成し、これがこの検査に適したＸ線ビーム束を対象台３に向けている様子を示している。絞り開口部２２によってＸ線ビームが次のように制限される。すなわち、Ｘ線ビームが所定の面積内で対象台３を照射するように制限される。絞り開口部２２によって制限されたビーム野は図１には参照符号３４と３５の付された直線によって示されている。医師がカソードの制御によってこの焦点の代わりに焦点１４の形成を選択すれば、キャリッジ、ひいては絞りプレート２がモータ、２８、ねじ２９および部材３０によってホルダに沿い次の区間を移動される。すなわち、以前にスイッチオンされていた焦点１２と焦点１４との間隔に係数を乗じたものに相応する区間を移動される。この係数は、記録面の大きさが対象台３において維持されるように選定される。絞りプレート２１ないしキャリッジ２４の新たな位置は一点鎖線により示されている。次に絞り開口部２２は、ホルダ２６を直線１７と平行に配置することによって直線１７に沿って、すなわち下方および側方に移動される。その際、絞りプレート２１の移動は焦点１２と１４の間隔よりもやや短い。このようにしてすでに説明したように、記録面が対象台３に維持される。焦点１４に切り替えた後のビーム野の制限はここでは３４と３６によって示されている。
【００１５】
焦点１４を別の所望の形成可能な焦点１２、１３または１５に切り替える際、絞り開口部２２はすでに説明したように、直線１７に沿って運動する。その際、絞り開口部２２は常にスイッチオンされた焦点に対して最適な位置にもたらされる。ステップモータ２８は絞りプレート２１用のキャリッジを移動させ、これにより絞りプレート２１は所望の焦点のスイッチオン時にこの最適位置をとる。ステップモータは、公知の、したがって詳細に説明しないマイクロプロセッサによりそのために設けられた制御プログラムと共に制御される。
【００１６】
１次ビーム絞り２の前記説明した移動によって、実施例で述べた形式のアノード皿に形成可能な焦点の数に関係なく、絞り２を常に迅速かつ簡単に、スイッチオンされた焦点に対して最適の位置にもたらすことができる。
【００１７】
絞りプレート２１用のホルダ２６はここに図示しないレール装置と置換することができる。このレール装置は相互に垂直に設けられた十字のレールを有し、これらのレールは相互に移動することができる。ホルダが有利には絞りプレートに対して垂直に設けられた構成でも、絞りプレート２１を直線１７に沿って移動させることができる。
【００１８】
前に述べたランプ３１とミラーは有利には１次ビーム絞りに固定される。これらは記録の前に、対象台の記録野（後でＸ線ビームによって照射される）を照明するために用いる。記録野を照明することによって、執刀医はＸ線対象物を対象台３の最適位置へ容易に位置決めできるようになる。照明された記録野はまた記録野の大きさと位置を明示する。ミラー３２はその後公知のように側方へ移動され、焦点と対象物との間のビーム路が空けられる。
【００１９】
【発明の効果】
本発明により、１次ビーム絞りを非常に簡単にかつ迅速に、切替可能な複数の焦点を有するアノード皿の瞬時の焦点に適合される位置にもたらすことができる。
【図面の簡単な説明】
【図１】本発明の実施例の概略図である。
【符号の説明】
１  Ｘ線管
２  １次ビーム絞り
３  対象台
４  アノード皿
【図１】
0003764510.tif 000002